(57)【要約】【課題】簡易な排水構造を有する電気接続箱を提供する。【解決手段】電気接続箱１０は、回路構成体１１と、回路構成体１１を収容する収容部１４、および、収容部１４の上面から収容部１４の外側面に至って設けられた排水路１５を有する第１ケース１３と、第１ケース１３の収容部１４および排水路１５を覆うとともに第１ケース１３に係止される第１被係止部２２を有する第２ケース２０と、を備える。第１ケース１３の収容部１４の外側面の上端部と下端部との間には、第２ケース２０の第１被係止部２２を係止する第１係止部１７が設けられるとともに、排水路１５が第１係止部１７の上端部以下の位置まで設けられ、第１係止部１７に第１被係止部２２を係止したときに、排水路１５と第１ケース１３および第２ケース２０の外側が連通して、排水路１５に流れる水を第１ケース１３および第２ケース２０の外側に排出する排水口１９が形成される。【選択図】図１
2015220903.tif 000002
【特許請求の範囲】
【請求項１】
回路構成体と、
前記回路構成体を収容する収容部、および、当該収容部の上面から当該収容部の外側面に至って設けられた排水路を有する第１ケースと、
前記第１ケースの前記収容部および前記排水路を覆うとともに前記第１ケースに係止される被係止部を有する第２ケースと、を備え、
第１ケースの前記収容部の外側面の上端部と下端部との間には、前記第２ケースの前記被係止部を係止する係止部が設けられるとともに、前記排水路が前記係止部の上端部以下の位置まで設けられ、
前記係止部に前記被係止部を係止したときに、前記排水路と前記第１ケースおよび第２ケースの外側が連通して、前記排水路に流れる水を前記第１ケースおよび前記第２ケースの外側に排出する排水口が形成される電気接続箱。
【請求項２】
前記係止部は、前記収容部の外側面の上端部寄りに設けられている請求項１に記載の電気接続箱。
【請求項３】
前記収容部の外側面には、当該収容部の外側面の上端部から前記係止部の上端部に至る傾斜面が形成されている請求項１または請求項２に記載の電気接続箱。
【発明の詳細な説明】
【技術分野】
【０００１】
本発明は、電気接続箱に関する。
【背景技術】
【０００２】
自動車等に搭載される電気接続箱は、回路構成体と回路構成体を収容するケースとを備える（例えば特許文献１を参照）。
【０００３】
このような電気接続箱のケースに結露等により水が付着すると、ケース内に水が浸入し回路構成体において短絡等の問題が発生することが懸念される。
【先行技術文献】
【特許文献】
【０００４】
【特許文献１】特許第４３０４２０７号公報
【発明の概要】
【発明が解決しようとする課題】
【０００５】
そこで、上記特許文献１においては、ケース上面（上端）から側面を通ってケースの下端部まで連通する排水溝を形成して回路構成体への浸水を防止する構造が提案されている。
【０００６】
しかしながら、ケースの上面から側面を通りケース下端に至る排水溝を設けると成型時に排水溝を形成するためのスライド型のスライド長が長くなり金型が大型化する。
【０００７】
本発明は、簡易な排水構造を有する電気接続箱を提供することを目的とする。
【課題を解決するための手段】
【０００８】
本発明は、回路構成体と、前記回路構成体を収容する収容部、および、当該収容部の上面から当該収容部の外側面に至って設けられた排水路を有する第１ケースと、前記第１ケースの前記収容部および前記排水路を覆うとともに前記第１ケースに係止される被係止部を有する第２ケースと、を備え、第１ケースの前記収容部の外側面の上端部と下端部との間には、前記第２ケースの前記被係止部を係止する係止部が設けられるとともに、前記排水路が前記係止部の上端部以下の位置まで設けられ、前記係止部に前記被係止部を係止したときに、前記排水路と前記第１ケースおよび第２ケースの外側が連通して、前記排水路に流れる水を前記第１ケースおよび前記第２ケースの外側に排出する排水口が形成される電気接続箱である。
【０００９】
本発明において、排水路は、収容部の外側面の上端部と下端部との間に設けられた係止部の上端部以下の位置まで設けられているので、収容部の下端部まで設けた場合よりも排水路を短くすることができる。また、本発明においては、第１ケースの係止部は、収容部の外側面の上端部と下端部との間に設けられ、係止部に被係止部を係止したときに排水路と第１ケースおよび第２ケースの外側が連通して排水路に流れる水を第１ケースおよび第２ケースの外側に排出する排水口が形成される。
【００１０】
つまり、本発明によれば、排水路を収容部の下端部まで設ける必要がなく、収容部の第１ケースの係止部に第２ケースの被係止部を係止することにより排水口が形成されるので、簡易な排水構造を有する電気接続箱を提供することができる。
【００１１】
本発明は以下の構成としてもよい。
前記係止部は前記収容部の外側面の上端部寄りに設けられていてもよい。このような構成とすると排水口の位置を上端部寄りに設けることができるので、排水路の長さを短くすることができる。
前記収容部の外側面には、当該収容部の外側面の上端部から前記係止部の上端部に至る傾斜面が形成されていてもよい。
このような構成とすると、排水路を流れる水が排水口まで円滑に流れる。
【発明の効果】
【００１２】
本発明によれば、簡易な排水構造を有する電気接続箱を提供することができる。
【図面の簡単な説明】
【００１３】
【図１】実施形態１の電気接続箱の一部斜視図
【図２】電気接続箱の平面図（上面図）
【図３】図２のＡ−Ａ線における一部断面図
【図４】電気接続箱の正面図
【図５】図４のＢ−Ｂ線における一部断面図
【図６】第１ケースの正面図
【図７】図６のＣ−Ｃ線における一部断面図
【図８】第１ケースの側面図
【図９】第１ケースの平面図（上面図）
【図１０】図９のＤ−Ｄ線における一部断面図
【図１１】第１ケースに水が流れる様子を示す一部斜視図
【図１２】第２ケースの正面図
【図１３】図１２のＥ−Ｅ線における一部断面図
【図１４】第２ケースと第１ケースの間に水が流れる様子を示す一部斜視図
【発明を実施するための形態】
【００１４】
＜実施形態１＞
本発明の実施形態１を図１ないし図１４によって説明する。下記の説明において、図１、図３〜図８および図１０〜図１４の上方を上、下方を下とする。本実施形態に係る電気接続箱１０は、図示しない電源と、ランプ、モータ等の車載電装品（図示せず）との間に配設されて、例えば、車載電装品のスイッチングを実行する。
【００１５】
電気接続箱１０は、回路基板１１（回路構成体の一例）と、回路基板１１を収容するケース１２とを備える。ケース１２は、回路基板１１を収容する収容部１４および、収容部１４の上面から収容部１４の外側面に至る排水路１５を有する第１ケース１３と、第１ケース１３の収容部１４および排水路１５を覆うとともに第１ケース１３に係止される被係止部２２，２３を有する第２ケース２０と、を備える。第１ケース１３と第２ケース２０とは絶縁樹脂製であり、図２における手前側と奥側にそれぞれ配されている。
【００１６】
第１ケース１３には、図６に示すように回路基板１１を収容する枠状の収容部１４が設けられている。回路基板１１には、プリント配線技術により図示しない導電路が形成されており、各種電子部品（図示せず）が接続されている。
【００１７】
第１ケース１３は、収容部１４の上面から収容部１４の外側面に至って設けられた排水路１５を有する。排水路１５は、収容部１４の上面から外側面、つまり収容部１４の外側に形成されており、これにより、回路基板１１側には水が浸入しないようになっている（図１１を参照）。
【００１８】
排水路１５は、図３、図１０および図１１に示すように、収容部１４の上面に、中央部分に近づくに従い高くなるように形成された傾斜面１５Ａを有している。収容部１４の上面に形成された傾斜面１５Ａは、図１１に示すように、収容部１４の外側面の上端部から係止部１７の上端に至って形成された傾斜面１５Ｂ（傾斜面の一例）に連なっている。
【００１９】
第１ケース１３は図６に示すように、収容部１４の右側の外側面と左側の外側面とに、２つずつ係止部１７，１８を有している。第１ケース１３の各係止部１７，１８は、対応する位置に形成された第２ケース２０の被係止部２２，２３をそれぞれ係止する（図５を参照）。
【００２０】
第１ケース１３の４つの係止部１７，１８のうち、収容部１４の左右の外側面の上端部寄り（収容部１４の外側面の上端部と下端部との間）に設けられた２つの係止部１７は、第２ケース２０の被係止部２２を係止したときに排水路１５とケース１２の外側とを連通する排水口１９が形成される第１係止部１７である。ここで収容部１４の外側面の上端部寄りとは、外側面の上下方向における中央よりも上側のことを意味し、収容部１４の外側面の下端部寄りとは外側面の上下方向における中央よりも下側のことを意味する。
【００２１】
収容部１４の左右の外側面の下端部寄りに形成された２つの係止部１８は、被係止部２３を係止したときに排水口１９が形成されない第２係止部１８である。
【００２２】
第２ケース２０の４つの被係止部２２，２３のうち、第１係止部１７に係止される被係止部２２を第１被係止部２２とし、第２係止部１８に係止される被係止部２３を第２被係止部２３とする。
【００２３】
第１係止部１７および第２係止部１８は、図７及び図１１に示すように、収容部１４の外側面において外側に突出する係止突部１７Ａ，１８Ａを有する。第１係止部１７の係止突部１７Ａと隣接する位置に排水路１５が設けられており、排水路１５の下端部１５Ｃは第１係止部１７の上端部と下端部との間（第１係止部１７，１８の上端部以下の一例）に設定されている（図１１を参照）。
【００２４】
第２ケース２０の各被係止部２２，２３は、図１３に示すように、各係止部１７，１８の係止突部１７Ａ，１８Ａを受け入れる係止受け部２２Ａと、係止突部１７Ａ，１８Ａを係止する係止爪２２Ｃ，２３Ｃが形成された係止片２２Ｂ，２３Ｂと、を有する。
【００２５】
次に電気接続箱１０の組み立て方法について説明する。
第２ケース２０を、回路基板１１を収容した第１ケース１３にかぶせ、第２ケース２０の第１被係止部２２を第１ケース１３の第１係止部１７に係止させるとともに第２ケース２０の第２被係止部２３を第１ケース１３の第２係止部１８に係止させる。すると、第１被係止部２２の係止片２２Ｂと第１係止部１７の係止突部１７Ａとが係合して抜け止めされるとともに、第２被係止部２３と第２係止部１８においては、第２被係止部２３の係止片２３Ｂと第２係止部１８の係止突部１８Ａとが係合して抜け止めされる。そして、このとき、図１４に示すように、第１ケース１３の排水路１５の下端部１５Ｃとケース１２（第１ケース１３および第２ケース２０）の外側とが連通して排水口１９が形成される。
【００２６】
次に、本実施形態の作用について説明する。
車両に搭載される電気接続箱１０においては、降雨時や、洗車時等において、ケース１２の上面に水が付着する場合がある。付着した水が、第１ケース１３と第２ケース２０とのわずかな隙間を通って、ケース１２内に浸入すると、第１ケース１３の収容部１４の上面に形成された排水路１５の傾斜面１５Ａを流れて図１１および図１４に示すように、収容部１４の外側面に形成された傾斜面１５Ｂに至り、さらには、排水路１５の下端部１５Ｃにおいて第１ケース１３と、第２ケース２０の第１被係止部２２の係止片２２Ｂとの間に形成された排水口１９からケース１２の外部に排出される。
【００２７】
以下、本実施形態の効果について説明する。
本実施形態において、排水路１５は、収容部１４の外側面の上端部と下端部との間に設けられた第１係止部１７の上端部以下の位置まで設けられているので、収容部１４の下端部まで設けた場合よりも排水路１５を短くすることができる。
【００２８】
また、本実施形態においては、第１ケース１３の第１係止部１７は、収容部１４の外側面の上端部と下端部との間に設けられ、第１係止部１７に第１被係止部２２を係止したときに排水路１５とケース１２（第１ケース１３および第２ケース２０）の外側が連通して排水路１５に流れる水をケース１２の外側に排出する排水口１９が形成される。
【００２９】
つまり、本実施形態によれば、排水路１５を収容部１４の下端部まで設ける必要がなく、収容部１４の第１ケース１３の第１係止部１７に第２ケース２０の第１被係止部２２を係止することにより排水口１９が形成されるので、簡易な排水構造を有する電気接続箱１０を提供することができる。
【００３０】
特に、本実施形態によれば、第１係止部１７は収容部１４の外側面の上端部寄りに設けられているので排水口１９の位置を上端部寄りに設けることができ、排水路１５の長さを短くすることができる。
さらに、本実施形態によれば、収容部１４の外側面には、収容部１４の外側面の上端部から第１係止部１７の上端部に至る傾斜面１５Ｂが形成されているから、排水路１５を流れる水が排水口１９まで円滑に流れる。
【００３１】
＜他の実施形態＞
本発明は上記記述及び図面によって説明した実施形態に限定されるものではなく、例えば次のような実施形態も本発明の技術的範囲に含まれる。
（１）上記実施形態では、係止状態としたときに排水口１９が形成される第１係止部１７が２つ設けられたケース１２を示したが、係止状態としたときに排水口が形成される係止部は少なくとも１つ設けられていればよい。係止部に係止される被係止部も同様である。
（２）上記実施形態では、係止状態としたときに排水口１９が形成されない第２係止部１８および第２被係止部２３が２組設けられたケースを示したが、係止状態としたときに排水口が形成されない係止部および被係止部は１組あるいは３組以上設けられていてもよいし、設けられていなくても構わない。
（３）上記実施形態では、第１係止部１７が収容部１４の外側面の上端部寄りに設けられている第１ケース１３を示したが、第１係止部１７の位置はこれに限定されない。第１係止部が収容部の外側面の下端部寄りに設けられている第１ケースであってもよい。
（４）上記実施形態では、収容部１４の外側面の上端部から第１係止部１７の上端部に至る傾斜面１５Ｂが形成されている例を示したが、傾斜面１５Ｂを備えない構造であっても構わない。
【符号の説明】
【００３２】
１０…電気接続箱
１１…回路基板（回路構成体）
１２…ケース
１３…第１ケース
１４…収容部
１５…排水路
１５Ｃ…下端部
１７…第１係止部
１７Ａ…係止突部
１８…第２係止部
１８Ａ…係止突部
１９…排水口
２０…第２ケース
２２…第１被係止部
２２Ａ…係止受け部
２２Ｂ…係止片
２２Ｃ…係止爪
２３…第２被係止部
【図１】
2015220903.tif 000003
【図２】
2015220903.tif 000004
【図３】
2015220903.tif 000005
【図４】
2015220903.tif 000006
【図５】
2015220903.tif 000007
【図６】
2015220903.tif 000008
【図７】
2015220903.tif 000009
【図８】
2015220903.tif 000010
【図９】
2015220903.tif 000011
【図１０】
2015220903.tif 000012
【図１１】
2015220903.tif 000013
【図１２】
2015220903.tif 000014
【図１３】
2015220903.tif 000015
【図１４】
2015220903.tif 000016